(57)【要約】【課題】オートフォーカス機能に対応しない撮影レンズが装着された場合であっても、撮影者が手動で正確に撮影レンズの焦点調節を行うことが可能なデジタル一眼レフカメラを提供すること。【解決手段】ＡＦセンサ２０８を用いてマニュアルフォーカスレンズの合焦位置を検出した結果と、同じレンズ位置において、撮像素子２１９で撮像された被写体像のコントラスト変化に基づいて検出した合焦位置とに基づいて、メインＣＰＵ２０１は、フォーカスエイド表示の際に焦点ズレ量を補正する補正データを算出する。そして、この算出した補正データに基づいてフォーカスエイド表示を行う。【選択図】    図３
2005025055.tif 000002
【特許請求の範囲】
【請求項１】
オートフォーカス機能を有しないマニュアルフォーカスレンズを装着可能なデジタル一眼レフカメラにおいて、
上記マニュアルフォーカスレンズの焦点ズレ量を検出する第１の焦点検出手段と、
上記マニュアルフォーカスレンズを介して被写体像を撮像する撮像手段と、
上記マニュアルフォーカスレンズの焦点調節を行う際に、上記撮像手段の出力のコントラスト変化から合焦位置を判定する第２の焦点検出手段と、
上記第１の焦点検出手段による検出結果と上記第２の焦点検出手段で判定された合焦位置とに基づいて上記マニュアルフォーカスレンズの焦点ズレ量を補正するための補正データを設定する設定手段と、
上記第２の焦点検出手段で判定された合焦位置と上記補正データとに基づいて上記マニュアルフォーカスレンズの焦点ズレ状態を表示するフォーカスエイド表示手段と、を具備することを特徴とするデジタル一眼レフカメラ。
【請求項２】
上記設定手段は、上記第２の焦点検出手段で判定された合焦位置において、上記第１の焦点検出手段によって検出された上記焦点ズレ量に基づいて上記補正データを設定することを特徴とする請求項１に記載のデジタル一眼レフカメラ。
【請求項３】
上記設定手段に上記補正データの設定を行わせる指示を与えるための操作部材を更に具備することを特徴とする請求項１に記載のデジタル一眼レフカメラ。
【請求項４】
上記補正データを記憶する記憶手段を更に具備することを特徴とする請求項１に記載のデジタル一眼レフカメラ。
【請求項５】
上記フォーカスエイド表示手段は、上記記憶手段から読み出された補正データに基づいて補正された上記マニュアルフォーカスレンズの焦点ズレ状態を表示することを特徴とする請求項４に記載のデジタル一眼レフカメラ。
【請求項６】
オートフォーカス機能を有しないマニュアルフォーカスレンズを装着可能なデジタル一眼レフカメラにおいて、
上記マニュアルフォーカスレンズの焦点ズレ量を検出する焦点ズレ量検出手段と、
上記マニュアルフォーカスレンズを介して被写体像を撮像する撮像手段と、
上記撮像手段の出力に基づいて上記被写体像のコントラストが最も高くなる位置を検出するコントラスト検出手段と、
第１の動作モード若しくは第２の動作モードの何れかを選択するための選択手段と、
上記第１の動作モードにおいて上記コントラスト検出手段で検出されたコントラストが最も高いレンズ位置において上記焦点ズレ量検出された焦点ズレ量に基づいて、上記焦点ズレ量に対する補正データを設定する設定手段と、
上記第２の動作モードにおいて上記焦点ズレ量検出手段の出力と上記補正データとに基づいて上記マニュアルフォーカスレンズの焦点ズレ状態を表示するフォーカスエイド表示手段と、を具備することを特徴とするデジタル一眼レフカメラ。
【請求項７】
上記第１の動作モードは、上記補正データを設定するための校正モードであり、
上記第２のモードは、上記マニュアルフォーカスレンズを装着して撮影を行うことが可能なモードであることを特徴とする請求項６に記載のデジタル一眼レフカメラ。
【発明の詳細な説明】
【０００１】
【発明の属する技術分野】
本発明は、レンズ交換可能なデジタル一眼レフカメラに関する。
【０００２】
【従来の技術】
現在、レンズ交換式の一眼レフレックスカメラ（以下、カメラと称する）においては、カメラ本体内に設けられたＴＴＬ（Ｔｈｒｏｕｇｈ  Ｔｈｅ  Ｌｅｎｓ）位相差方式の焦点検出部を用いて撮影レンズの焦点ズレ状態を検出し、その検出した焦点ズレ状態に基づいて撮影レンズを自動的に合焦位置へと導く、所謂オートフォーカス機能を搭載したものが多い。
【０００３】
この種のカメラにおいては、焦点検出部で検出された焦点ズレ情報に基づいて撮影レンズの焦点調節を行っても、撮像画像がピンボケ状態になることがある。
これは、撮影レンズの収差特性（球面収差や歪曲収差など）があるので、焦点検出部によって検出した合焦位置と撮影レンズの実際の合焦位置とに差が出てしまうことに起因する。
【０００４】
そこで、特許文献１では、球面収差特性に応じた最良像面位置の補正量を撮影レンズ内に記憶させておき、この補正量に基づいてカメラ内部の焦点検出部の出力を補正する技術が提案されている。
【０００５】
一方、多種多様なレンズを装着可能な一眼レフカメラにおいては、オートフォーカス用のレンズ駆動機構を配置することが困難なレンズや物理的にオートフォーカスが不能なレンズも存在する。これらのオートフォーカス不能なレンズをオートフォーカス機能付きのカメラに装着した場合には、撮影者は、ファインダ像、即ちフォーカシングスクリーンに結像する被写体像を見ながら、その被写体像が最もシャープに見える位置に撮影レンズが位置するように、手動で調節を行わなければならない。
【０００６】
このような手動による焦点調節の補助するための技術として、特許文献２〜４で提案されているような、測距装置で検出した測距情報をファインダ内に表示させて、焦点ズレ状態を確認可能とするフォーカスエイド表示という技術がある。
このようなフォーカスエイド表示により、撮影者は、合焦状態を確認しながら手動で容易に焦点調節を行うことが可能である。
【０００７】
【特許文献１】
特開昭５９−２０８５１４号公報
【０００８】
【特許文献２】
特開平６−３０１０９７号公報
【０００９】
【特許文献３】
特開平９−６１９２３号公報
【００１０】
【特許文献４】
特開２００２−７２３３１号公報
【００１１】
【発明が解決しようとする課題】
しかしながら、オートフォーカスに対応しないような旧式の撮影レンズの場合には、焦点調節部の出力を補正するためのデータが記憶されていないので、レンズの収差特性による影響を補正することができず、この場合には、正しいフォーカスエイド表示を行うことができない。
【００１２】
本発明は、上記の事情に鑑みてなされたもので、オートフォーカス機能に対応しない撮影レンズが装着された場合であっても、撮影者が手動で正確に撮影レンズの焦点調節を行うことが可能なデジタル一眼レフカメラを提供することを目的とする。
【００１３】
【課題を解決するための手段】
上記の目的を達成するために、本発明の第１の態様によるデジタル一眼レフカメラは、オートフォーカス機能を有しないマニュアルフォーカスレンズを装着可能なデジタル一眼レフカメラにおいて、上記マニュアルフォーカスレンズの焦点ズレ量を検出する第１の焦点検出手段と、上記マニュアルフォーカスレンズを介して被写体像を撮像する撮像手段と、上記マニュアルフォーカスレンズの焦点調節を行う際に、上記撮像手段の出力のコントラスト変化から合焦位置を判定する第２の焦点検出手段と、上記第１の焦点検出手段による検出結果と上記第２の焦点検出手段で判定された合焦位置とに基づいて上記マニュアルフォーカスレンズの焦点ズレ量を補正するための補正データを設定する設定手段と、上記第２の焦点検出手段で判定された合焦位置と上記補正データとに基づいて上記マニュアルフォーカスレンズの焦点ズレ状態を表示するフォーカスエイド表示手段とを具備する。
【００１４】
この第１の態様によれば、補正データに基づいてマニュアルフォーカスレンズの焦点ズレ量を補正できるので、オートフォーカス機能に対応しない撮影レンズが装着された場合であっても、撮影者が手動で正確に撮影レンズの焦点調節を行うことが可能である。
【００１５】
また、上記の目的を達成するために、本発明の第２の態様によるデジタル一眼レフカメラは、第１の態様において、上記設定手段は、上記第２の焦点検出手段で判定された合焦位置において、上記第１の焦点検出手段によって検出された上記焦点ズレ量に基づいて上記補正データを設定する。
【００１６】
この第２の態様においては、第２の焦点検出手段で判定された合焦位置において第１の焦点検出手段によって検出された焦点ズレ量に基づいて補正データが設定される。
【００１７】
また、上記の目的を達成するために、本発明の第３の態様によるデジタル一眼レフカメラは、第１の態様において、上記設定手段に上記補正データの設定を行わせる指示を与えるための操作部材を更に具備する。
【００１８】
この第３の態様によれば、補正データの設定が手動操作でも可能である。
【００１９】
また、上記の目的を達成するために、本発明の第４の態様によるデジタル一眼レフカメラは、第１の態様において、上記補正データを記憶する記憶手段を更に具備する。
【００２０】
この第４の態様によれば、補正データを記憶させておくことが可能である。
【００２１】
また、上記の目的を達成するために、本発明の第５の態様によるデジタル一眼レフカメラは、第４の態様において、上記フォーカスエイド表示手段は、上記記憶手段から読み出された補正データに基づいて補正された上記マニュアルフォーカスレンズの焦点ズレ状態を表示する。
【００２２】
この第５の態様によれば、記憶手段に記憶された補正データに基づいて、フォーカスエイド表示によって焦点ズレ状態が表示される。
【００２３】
また、上記の目的を達成するために、本発明の第６の態様によるデジタル一眼レフカメラは、オートフォーカス機能を有しないマニュアルフォーカスレンズを装着可能なデジタル一眼レフカメラにおいて、上記マニュアルフォーカスレンズの焦点ズレ量を検出する焦点ズレ量検出手段と、上記マニュアルフォーカスレンズを介して被写体像を撮像する撮像手段と、上記撮像手段の出力に基づいて上記被写体像のコントラストが最も高くなる位置を検出するコントラスト検出手段と、第１の動作モード若しくは第２の動作モードの何れかを選択するための選択手段と、上記第１の動作モードにおいて上記コントラスト検出手段で検出されたコントラストが最も高いレンズ位置において上記焦点ズレ量検出された焦点ズレ量に基づいて、上記焦点ズレ量に対する補正データを設定する設定手段と、上記第２の動作モードにおいて上記焦点ズレ量検出手段の出力と上記補正データとに基づいて上記マニュアルフォーカスレンズの焦点ズレ状態を表示するフォーカスエイド表示手段とを具備する。
【００２４】
この第６の態様によれば、オートフォーカス機能に対応しない撮影レンズが装着された場合であっても、撮影者が手動で正確に撮影レンズの焦点調節を行うことが可能である。
【００２５】
また、上記の目的を達成するために、本発明の第７の態様によるデジタル一眼レフカメラは、第６の態様において、上記第１の動作モードは、上記補正データを設定するための校正モードであり、上記第２のモードは、上記マニュアルフォーカスレンズを装着して撮影を行うことが可能なモードである。
【００２６】
この第７の態様によれば、第１のモードにおいて補正データの設定が可能である。
【００２７】
【発明の実施の形態】
以下、本発明の実施の形態を図面を参照して説明する。
図１は、本発明の一実施の形態に係るデジタル一眼レフカメラの構成を示すブロック図である。このカメラは、オートフォーカス（ＡＦ）機能を有する撮影レンズ（以下、ＡＦレンズと称する）及びオートフォーカス機能を有していない撮影レンズ（マニュアルフォーカスレンズ、以下、ＭＦレンズと称する）の何れも装着可能である。図１は、カメラ本体２００にＡＦレンズ１００を装着した状態を示す。また、図１では、カメラ本体２００にストロボ発光ユニット３００も装着されている。
【００２８】
まず、ＡＦレンズ１００の構成及び動作について説明する。
即ち、レンズ鏡筒内部には、正レンズ１０１や負レンズ１０３が配置されており、これらのレンズでＡＦレンズを構成している。これら正レンズ１０１及び負レンズ１０３は、ズーム・ピント駆動回路１０４により駆動される。
【００２９】
ここで、ズーム・ピント駆動回路１０４は、公知の電磁モータや超音波モータ等で構成されるレンズ駆動源、このレンズ駆動源を駆動制御するためのドライバ回路、及びレンズ位置を検出するためのエンコーダ装置などで構成されている。
エンコーダ装置は、レンズ位置に応じた被写体距離及びズーム焦点距離をそれぞれ独立して検出する。このエンコーダ装置としては、例えば撮影レンズ鏡筒の鏡枠の外表面に設けられた図示しない金属パターン上を図示しない切片ブラシを摺動させて位置を検出するタイプの非接触式のエンコーダ装置を用いればよい。また、エンコーダ装置として、鏡枠の外表面に白黒パターンを配置し、その白黒パターンをフォトリフレクタ等で検出するタイプのものを用いても良いし、鏡枠の基準位置からの駆動量を測定してレンズの絶対位置を検出する、所謂絶対距離エンコーダを用いても良い。
【００３０】
また、正レンズ１０１と負レンズ１０３との間には、絞り機構１０２が設けられている。この絞り機構１０２は、絞り駆動回路１０５によって駆動され、カメラ本体２００内に入射する光の光量を調節する。
【００３１】
更に、鏡筒内部には、ＡＦレンズ１００の光学的特性データを記憶させておくためのレンズ情報記憶回路１０６が設けられている。レンズ情報記憶回路１０６に記憶されている光学的特性データは、カメラ本体２００で読み出されて撮影時における処理や画像処理時等に利用される。
【００３２】
次に、カメラ本体内部の構成及び動作について説明する。ここで、本発明の一実施形態では、カメラ本体に、ＡＦが不能なＭＦレンズが装着された場合に備えて、カメラ本体内部にＭＦレンズの焦点ズレ量を補正データとして記憶させておくことで、正しくフォーカスエイド表示を行うことができるようにしている。
【００３３】
カメラ本体２００内部には、マイクロプロセッサ等で構成されたメインＣＰＵ２０１が設けられている。このメインＣＰＵ２０１には、データバス２０２や信号線２０３を介してカメラ本体２００内部の複数のカメラ要素（例えば、撮像手段としての撮像素子２１９や各種信号処理を行う信号処理回路２２０等）に接続されている。メインＣＰＵ２０１は、接続されているカメラ要素の動作制御を行うことにより、カメラ全体の動作の制御を行う。また、メインＣＰＵ２０１は、カメラ本体２００にＡＦレンズ１００が装着された場合に、データバス２０２を介して上記したズーム・ピント駆動回路１０４や絞り駆動回路１０５の制御も行う。
【００３４】
また、カメラ本体２００には、略中央部分がハーフミラーで構成された可動ミラー２０４が設けられている。この可動ミラー２０４は、撮像素子２１９の撮像光路上、即ちＡＦレンズ１００のレンズ光軸線上にハーフミラー部が位置するようにカメラ本体２００内部に配置される。ここで、可動ミラー２０４は、ミラー駆動回路２０５に駆動制御されて、軸２０４ａを中心として所定角度内、即ち撮像素子２１９の撮像光路上の位置から撮像素子２１９の撮像光路上から退避する位置の範囲内で回転可能に構成されている。露光時等において、メインＣＰＵ２０１は、ミラー駆動回路２０５を制御して可動ミラー２０４を撮像光路上から退避駆動させる。
【００３５】
更に、可動ミラー２０４の中央背面部分には、サブミラー２０６が設けられている。即ち、ＡＦレンズ１００を介して入射した図示しない被写体からの光束（以下、被写体光束）の一部が、可動ミラー２０４に構成されたハーフミラー部を透過した後、サブミラー２０６によって図面下方向に反射される。
【００３６】
この反射方向には、セパレータ光学系２０７、ＡＦセンサ２０８などで構成される第１の焦点検出手段としての焦点検出部が配置されている。ここで、この焦点検出部は、公知の位相差法によって合焦位置検出を行う。即ち、サブミラー２０６で反射された被写体光束は、セパレータ光学系２０７において２像に分離された後、ＡＦセンサ２０８に入射する。ＡＦセンサ２０８は、ＡＦセンサ駆動回路２０９に接続されており、ＡＦセンサ駆動回路２０９によって駆動制御されて、結像した２像をその光量に応じた電気信号に変換してメインＣＰＵ２０１に出力する。
【００３７】
メインＣＰＵ２０１は、ＡＦセンサ２０８で生成された２像の信号に基づいて２像の間隔、即ち、正レンズ１０１と負レンズ１０３のデフォーカス量を求め、この求めたデフォーカス量から、正レンズ１０１と負レンズ１０３の駆動量データを演算する。そして、メインＣＰＵ２０１は、演算した駆動量データに基づいて、ズーム・ピント駆動回路１０４を制御して正レンズ１０１と負レンズ１０３とを合焦位置に駆動する。
【００３８】
また、可動ミラー２０４では、被写体光束の一部が図面上方向に反射される。この反射光路上には、焦点板（フォーカシングスクリーンともいう）２１０、ペンタプリズム２１１、及びファインダ接眼光学系２１２で構成されるファインダ光学系が配置されている。即ち、可動ミラー２０４で反射された被写体光束は、焦点板２１０に結像するので、撮影者は、この焦点板２１０に結像した被写体像をペンタプリズム２１１及びファインダ接眼光学系２１２を介して視認できる。
【００３９】
また、ファインダ接眼光学系２１２の近傍には、結像レンズ２１３及び測光素子２１４が設けられている。これらは、焦点板２１０上に結像した被写体像から被写体の輝度を測定するための測光機構である。測光素子２１４は、測光の結果として得られた被写体輝度情報を、メインＣＰＵ２０１に送信する。メインＣＰＵ２０１は、送信された被写体輝度情報に基づいて露光量演算を行う。
【００４０】
また、メインＣＰＵ２０１には、データバス２０２を介して記憶手段としてのＥＥＰＲＯＭ２１５及びスイッチ入力部２１６が接続されている。ＥＥＰＲＯＭ２１５は、不揮発性の半導体メモリで構成されており、カメラの製造時における個々のばらつきを抑えるのに必要な、カメラ毎の調整値が記憶される。更に、このＥＥＰＲＯＭ２１５に記憶される調整値には、ＭＦレンズの特性等によって生じるフォーカスエイド表示の際の焦点ズレを補正するための補正データも記憶される。
【００４１】
スイッチ入力部２１６は、図示しないレリーズ釦の半押し操作に連動してオンする第１（１ｓｔ）レリーズスイッチ、レリーズ釦の深押し操作に連動してオンする第２（２ｎｄ）レリーズスイッチ、カメラの電源のオン／オフを切り換えるための電源スイッチ、単写モードと連写モードとの切り換え等の各種モード切り換えを行うための図示しないモード釦に連動してオンするモードスイッチ、カメラモードを後で説明する校正モードに移行させるための校正モードスイッチ等の複数のスイッチから構成されており、このスイッチ入力部２１６に含まれる何れかのスイッチが操作された場合には、そのスイッチに対応した操作信号がメインＣＰＵ２０１に供給される。メインＣＰＵ２０１は、この操作信号を受けて各種制御を開始する。
【００４２】
例えば、メインＣＰＵ２０１が、１ｓｔレリーズスイッチのオン状態を判定した場合には、ＡＦセンサ駆動回路２０９を制御して、ＡＦセンサ２０８上の２像間の距離、即ちデフォーカス量を演算する。そして、演算したデフォーカス量に基づいて、ズーム・ピント駆動回路１０４を駆動してＡＦレンズ１００の焦点調整を行う。
【００４３】
また、メインＣＰＵ２０１が、２ｎｄレリーズスイッチのオン状態を判定した場合には、ミラー駆動回路２０５を制御して、可動ミラー２０４を撮像光路上から退避させる。また、測光素子２１４からの出力に基づく被写体輝度情報より、予め設定されている図示しないプログラム線図に基づき適正な絞り値とシャッタ秒時を求める。そして、メインＣＰＵ２０１は、求めた絞り値に基づいて絞り駆動回路１０５を制御して絞り機構１０２を駆動させる。更に、メインＣＰＵ２０１は、求めたシャッタ秒時でシャッタ駆動回路２１７を制御して、可動ミラー２０４の後方に設けられたシャッタ２１８を駆動させる。
【００４４】
即ち、可動ミラー２０４が撮像光路上から退避している状態で、シャッタ２１８が開状態となると、ＡＦレンズ１００を介して入射した被写体像が撮像素子２１９に結像する。撮像素子２１９は、結像した被写体像を電気信号（画像信号）に変換した後、信号処理回路２２０に出力する。信号処理回路２２０は、入力された画像信号に対して各種信号処理を行う。
【００４５】
また、信号処理回路２２０は、データバス２２１を介して、ＥＰＲＯＭ２２２、ＳＤＲＡＭ（シンクロナスダイナミックランダムアクセスメモリ）２２３、及びフラッシュメモリ２２４にも接続されている。
【００４６】
ＥＰＲＯＭ２２２は、信号処理回路２２０に含まれるプロセッサ（ＣＰＵ）で処理されるプログラムを記憶する。ＳＤＲＡＭ２２３は、画像処理前の画像データや画像処理中の画像データを一時的に記憶する。フラッシュメモリ２２４は、最終的に確定された画像データを記憶する。ここで、ＳＤＲＡＭ２２３は、揮発性の一時的記憶部であり、高速動作が可能であるが電源供給が遮断されると記憶内容が消滅する。一方、フラッシュメモリ２２４は、不揮発性の記憶部であり、低速であるがカメラの電源がオフされても記憶内容が保存される。
【００４７】
また、信号処理回路２２０は、画像表示回路２２５にも接続されている。即ち、信号処理回路２２０は、信号処理した画像信号を画像表示回路２２５に出力する。画像表示回路２２５は、入力された画像信号に基づいて画像表示を行う。この画像表示回路２２５は、ＬＣＤモニタとバックライトとから構成されており、信号処理回路２２０は、ＬＣＤモニタに画像表示を行うと共にバックライトを制御してＬＣＤモニタを背面から照明する。
【００４８】
ここで、信号処理回路２２０で行われる画像処理について図２を参照して更に詳しく説明する。図２は、図１における信号処理回路２２０の詳細とそれに関連する周辺回路（撮像素子２１９及び画像表示回路２２５）について示したブロック図である。
【００４９】
信号処理回路２２０は、内部にＲＩＳＣプロセッサ、カラープロセッサ、ＪＰＥＧプロセッサ等を含み、デジタル画像信号の圧縮・伸張処理、ホワイトバランス処理、エッジ強調処理等の画像処理を行う回路である。また、信号処理回路２２０は、撮像素子２１９から出力された画像信号を画像表示回路２２５に出力するためのコンポジット信号（輝度信号、色差信号）に変換する処理も行う。
【００５０】
即ち、信号処理回路２２０には、信号処理動作を制御する制御回路としてのＣＰＵ２２０ａと、このＣＰＵ２２０ａに接続され、ＣＰＵ２２０ａからの制御信号に従って動作する複数の回路が含まれている。また、ＣＰＵ２２０ａは、図１に示した信号線２０３を介してメインＣＰＵ２０１と接続されており、メインＣＰＵ２０１から出力された制御信号に基づいて信号処理回路２２０内の各回路を制御する。
【００５１】
第１の画像処理回路２２０ｂは、ＣＰＵ２２０ａで設定された駆動条件に従って撮像素子２１９を駆動すると共に、撮像素子２１９から出力されたアナログ画像信号をＡ／Ｄ変換してデジタル画像信号を生成する。また、第１の画像処理回路２２０ｂは、撮像素子２１９の遮光部分の画素信号に基づいて画像信号の補正も行う。
【００５２】
間引き・抽出処理回路２２０ｃは、第１の画像処理回路２２０ｂから出力されたデジタル画像信号に対して間引き処理（解像度を低下させてデータ量を少なくする処理）を施して、第２の画像処理回路２２０ｄ及び第３の画像処理回路２２０ｅに出力する。ここで、第２の画像処理回路２２０ｄに出力する画像信号の間引きの度合いは、撮影者によって設定された解像度に応じて決定される。また、第３の画像処理回路２２０ｅに出力する画像信号の間引きの度合いは、画像表示に適した解像度に応じてＣＰＵ２２０ａによって決定される。
【００５３】
更に、間引き・抽出処理回路２２０ｃは、画像信号の一部を抽出してホワイトバランス処理回路（以下、ＷＢ処理回路）２２０ｆ及びコントラスト判定回路２２０ｇに出力する。ＷＢ処理回路２２０ｆは、画像の色バランス（ホワイトバランス）を調整するためのホワイトバランス情報（ＷＢ情報）を演算する回路である。ＷＢ処理回路２２０ｆで演算されたＷＢ情報は、第２の画像処理回路２２０ｄにはＣＰＵ２２０ａを経由して送信され、第３の画像処理回路２２０ｅには直接送信される。
【００５４】
コントラスト判定回路２２０ｇは、間引き・抽出処理回路２２０ｃで処理された画像データの所定領域内、具体的には、撮影画面内のＡＦセンサ２０８の測距領域（ＡＦターゲット領域）について、最も輝度レベルが高い画素と最も低い画素とを選び出して、その差をコントラスト情報として出力する回路である。このコントラスト情報は、ＣＰＵ２２０ａを介してメインＣＰＵ２０１に送られる。
【００５５】
第２の画像処理回路２２０ｄは、フラッシュメモリ２２４に記憶するための画像信号を生成する回路で、γ補正、画像信号のデータビット数の削減、ＷＢ情報に基づく色調整、ＲＧＢ信号からＹＣｂＣｒ信号への変換、撮像素子２１９の欠陥画素補正、スミア補正、色相や色度等の公知の処理を行う後段処理回路である。
【００５６】
第３の画像処理回路２２０ｅは、画像表示回路２２５に表示させるための画像を生成する回路で、γ補正，イメージ信号のデータビット数の削減、ＷＢ情報に基づく色調整、ＲＧＢ信号からＹＣｂＣｒ信号への変換等の公知の処理を行う簡易後段処理回路である。一般的に、画像表示回路２２５に撮像画像を繰り返し表示させるためには、ソフトウェアによる処理では速度が間に合わないことが多い。したがって、表示のための画像処理は、この第３の画像処理回路２２０ｅにおいてハードウェア的に処理する。
【００５７】
ビデオ・デコーダ２２０ｈは、コンポジット信号（ＹＣｂＣｒ）信号を、例えばＮＴＳＣ信号に変換して画像表示回路２２５に出力する。また、ＪＰＥＧ圧縮／伸張処理回路２２０ｉは、第２の画像処理回路２２０ｄで処理された画像信号をフラッシュメモリ２２４に記憶する前にＪＰＥＧ圧縮を施したり、フラッシュメモリ２２４に記憶されたＪＰＥＧ画像を読み出して伸張したりするための回路である。
【００５８】
次に、ストロボ発光ユニット３００について説明する。ストロボ発光ユニット３００においては、ストロボ制御回路３０１が、データバス２０２を介してカメラ本体２００のメインＣＰＵ２０１と接続されている。このストロボ制御回路３０１は、トリガ回路３０２にも接続されている。即ち、ストロボ制御回路３０１は、メインＣＰＵ２０１に制御されて、内部の図示しないストロボ用メインコンデンサの充電処理の制御及びトリガ回路３０２へのストロボ発光開始指示の制御を行う。
【００５９】
即ち、ストロボ制御回路３０１からトリガ回路３０２に対してストロボ発光の開始が指示された場合に、トリガ回路３０２は、発光管３０３にトリガ信号を出力する。発光管３０３においては、トリガ信号を受けて内部に封止されているキセノンガスが励起して発光が行われる。この発光光は、反射傘３０４で反射され、更に発光パネル３０５を通過して被写体に照射される。ここで、このようなストロボ発光ユニット３００は、カメラ本体２００からポップアップするように構成されている。
【００６０】
次に、図３を参照して、撮影レンズとしてＡＦ機能を有していないマニュアルフォーカス（ＭＦ）レンズ４００がカメラ本体２００に装着された場合の構成について説明する。即ち、ＭＦレンズ４００は、正レンズ４０１、絞り機構４０２、及び負レンズ４０３で構成されており、これらは図示しない駆動機構を介して手動操作により駆動される。また、ＭＦレンズ４００は、ＡＦ機能を有してないので、ズーム・ピント駆動回路１０４、絞り駆動回路１０５、及びレンズ情報記憶回路１０６に相当する構成が設けられていない。
【００６１】
ここで、カメラ本体２００は、撮影レンズ側にレンズ情報記憶回路１０６が存在しているか否かを判定することにより、装着されているレンズがＡＦレンズ又はＭＦレンズの何れであるのかを判定する。この判定は、レンズ情報記憶回路１０６からレンズ情報が読み出せるか否かを判定することで行う。即ち、レンズ情報が読み出せる場合にはＡＦレンズ１００が装着されていると判定し、読み出せない場合にはＭＦレンズ４００が装着されていると判定する。
【００６２】
次に、このような構成を持つデジタル一眼レフカメラにおける制御について説明する。本一実施形態では、カメラに装着された撮影レンズがＡＦレンズ１００かであるＭＦレンズ４００であるかに応じて異なる制御を行う。特に、装着された撮影レンズがＭＦレンズ４００の場合には、ＭＦレンズ４００の収差特性などによる焦点ズレ量を補正するデータを算出し、ＥＥＰＲＯＭ２１５に記憶させることができる。
【００６３】
図４は本一実施の形態に係るデジタル一眼レフカメラのメイン動作のフローチャートである。
【００６４】
このフローチャートは、図示しない電源スイッチのＯＮ操作や電池装填時等により開始される。このフローチャートにおいて、メインＣＰＵ２０１は、まず、レンズ情報記憶回路１０６に記憶されているレンズ情報を読み込む（ステップＳ１）。次に、このレンズ情報が読み込めたか否かにより、装着されている撮影レンズがＭＦレンズ４００であるか否かを判定する（ステップＳ２）。このステップＳ２の判定において、装着されている撮影レンズがＭＦレンズ４００であると判定した場合には、後で詳しく説明するマニュアルフォーカスレンズ処理のサブルーチンに移行する（ステップＳ３）。一方、ステップＳ２の判定において、装着されている撮影レンズがＡＦレンズ１００であると判定した場合には、オートフォーカスレンズ処理のサブルーチンに移行する（ステップＳ４）。なお、このオートフォーカス処理は、公知のものを用いればよいので、その詳細な説明は省略する。
【００６５】
その後、メインＣＰＵ２０１は、撮影レンズが交換済みであるか否かを判定し（ステップＳ５）、撮影レンズが交換済みであると判定した場合に、ステップＳ１に戻り、再びレンズ情報の読み込みを行う。
【００６６】
次に、図４のステップＳ３におけるマニュアルフォーカスレンズ処理について図５を参照して説明する。このマニュアルフォーカスレンズ処理は、通常のマニュアルフォーカスによる撮影が可能な第２のモードの他に、フォーカスエイド表示用の補正データを設定するための第１のモードである校正モードを有している。この校正モードは、例えば図６に示す校正モード釦５０２を押圧操作し、上記した校正モードスイッチのスイッチ状態を切り替えることで移行させることができるモードである。
【００６７】
図５のフローチャートにおいて、メインＣＰＵ２０１は、まず、校正モード釦５０２がＯＮされたか否かを校正モードスイッチのスイッチ状態から判定する（ステップＳ１１）。このステップＳ１１の判定において、校正モード釦５０２がＯＮされたと判定した場合には、校正モードに移行する（ステップＳ１２）。この校正モードの詳細については後に述べる。
【００６８】
一方、ステップＳ１１の判定において、校正モード釦５０２がＯＮされていないと判定した場合には、１ｓｔレリーズスイッチがＯＮされたか否かを判定する（ステップＳ１３）。この判定において、１ｓｔレリーズスイッチがＯＮされたと判定した場合には、撮像処理を開始し（ステップＳ１４）、その後ステップＳ１９に移行する。なお、この撮像処理については、公知のものを用いればよいのでその詳細な説明については省略する。
【００６９】
一方、ステップＳ１３の判定において、ファインダ５０４にフォーカスエイド表示を行う。このために、メインＣＰＵ２０１は、ＡＦセンサ２０８により焦点ズレ量を検出する（ステップＳ１５）。なお、ここでは、ＡＦセンサ２０８で焦点ズレ量検出を行うので可動ミラー２０４を撮像光路上の位置に戻す。次にメインＣＰＵ２０１は、ＥＥＰＲＯＭ２１５から、フォーカスエイド表示用の補正データを読み込んで（ステップＳ１６）。この読み込んだ補正データに基づいてステップＳ１５で検出した焦点ズレ量を補正する（ステップＳ１７）。この後、メインＣＰＵ２０１は、ファインダ５０４に、図７の符号６２ａ〜６２ｃで示すようなフォーカスエイド表示を行う（ステップＳ１８）。そして、ステップＳ１９に移行する。
【００７０】
ここで、図７の符号６２ａ〜６２ｃで示すフォーカスエイド表示において、符号６２ａで示す表示は、ＭＦレンズ４００が合焦範囲内にあることを示す表示である。この合焦状態の判定は、ステップＳ１７で算出した値と所定値との差分をとり、この差分が所定範囲内に有る場合に合焦状態であると判定する。また、符号６２ｂ，６２ｃに示す表示は、合焦状態ではない（所謂前ピン状態又は後ピン状態）ので対応する方向にＭＦレンズ４００を駆動するように、撮影者に告知するための表示である。これらのうち何れを表示させるのかは、ステップＳ１７で算出した値と上記所定値との差分が正の値であるか負の値であるかにより決定する。
【００７１】
以上の制御の後、メインＣＰＵ２０１は、レンズ交換操作がなされたか否かを判定し（ステップＳ１９）、レンズ交換操作がなされていないと判定した場合にはステップＳ１３に移行する。一方、ステップＳ１９の判定においてレンズ交換操作がなされたと判定した場合には、このフローチャートを抜ける。
【００７２】
次に図５のステップＳ１２における校正モードについて図８を参照して説明する。
まず、メインＣＰＵ２０１は、校正モード釦５０２がＯＦＦされたか否かを判定し（ステップＳ２１）、校正モード釦５０２がＯＦＦされたと判定した場合に、メインＣＰＵ２０１は、ＬＣＤモニタ２２５ａに図９の符号７０ａで示す校正モード表示を行う（ステップＳ２２）。即ち、校正モード釦５０２がＯＮされることによって校正モードに移行し、この後、校正モード釦５０２がＯＦＦされるタイミングで、校正モードの処理が開始される。
【００７３】
ステップＳ２２で校正モード表示を行った後、メインＣＰＵ２０１は、可動ミラー２０４を撮像光路上から退避させる（ステップＳ２３）と共にシャッタ２１８を開放する（ステップＳ２４）。その後、メインＣＰＵ２０１は、ＬＣＤモニタ２２５ａに動画表示を行わせるように信号処理回路２２０に指示を送る（ステップＳ２５）。
【００７４】
次に、撮像素子２１９で撮像された結果から、メインＣＰＵ２０１は、信号処理回路２２０にコントラスト値の読み込みを行わせる（ステップＳ２６）。信号処理回路２２０内部のＣＰＵ２２０ａは、読み込んだコントラスト値が１回目のものであるか否かを判定する（ステップＳ２７）。この判定において、読み込んだコントラスト値が１回目のものであると判定した場合には、ステップＳ２６に戻る。
【００７５】
一方、ステップＳ２７の判定において、読み込んだコントラスト値が１回目のものではないと判定した場合に、コントラスト値が前回よりも向上したか否かを判定する（ステップＳ２８）。この判定において、コントラスト値が前回よりも向上したと判定した場合に、ＣＰＵ２２０ａは、ＬＣＤモニタ２２５ａ上に図１０の符号７２ａで示すようなコントラスト値が向上したことを示す表示を行わせた後（ステップＳ２９）、ステップＳ２６に戻る。例えば、符号７１で示す状態からＭＦレンズ４００のピントが合う方向（この方向を正方向とする）にレンズ鏡筒外部に設けられたフォーカスリングを操作した場合には、符号７２で示す状態になる。符号７２で示す状態では、符号７１で示す状態よりもコントラストが向上しているので、より鮮明な画像が得られる。
【００７６】
また、ステップＳ２８の判定において、コントラスト値が前回よりも向上していないと判定した場合に、ＣＰＵ２２０ａは、ＬＣＤモニタ２２５ａ上に図１０の符号７３ａで示すようなコントラスト値が向上していないことを示す表示を行わせる（ステップＳ３０）。次に、コントラスト値がピークを超えたか否か、即ちステップＳ２８でコントラスト値が向上していないと判定される前の判定までは、コントラスト値が向上していたか否かを判定する（ステップＳ３１）。このステップＳ３１の判定において、コントラスト値がピークを超えていないと判定した場合には、ステップＳ２６に戻る。
【００７７】
一方、ステップＳ３１の判定において、コントラスト値がピークを超えたと判定した場合には、そのときのレンズ位置を合焦位置であると判定する。このような合焦位置の判定手法が第２の焦点検出手段に相当する。ステップＳ３１の判定を受けて、メインＣＰＵ２０１は、信号処理回路２２０に動画表示を停止させる指示を送り（ステップＳ３２）、シャッタ２１８を閉じる（ステップＳ３３）。
続いて、メインＣＰＵ２０１は、可動ミラー２０４を撮像光路上の位置に戻して（ステップＳ３４）、この状態でＡＦセンサ２０８により焦点ズレ量を検出する（ステップＳ３５）。この焦点ズレ量は、上記ステップＳ３１で検出したコントラスト値による合焦位置（第２の焦点検出手段で求めた合焦位置）と、このときレンズ位置において、ＡＦセンサ２０８によって検出した合焦位置（第１の焦点検出手段で求めた合焦位置）との差分である。この差分を求めた後、この差分を打ち消す値をフォーカスエイド表示の際に用いる補正データとして設定し、この設定した補正データをＥＥＰＲＯＭ２１５に上書き記憶させる（ステップＳ３６）。
【００７８】
このような校正を行って補正データを更新すれば、新たに異なる特性のＭＦレンズが装着されたとしても、正しいフォーカスエイド表示を行うことができる。
【００７９】
次に、この校正モードの変形例について図１１を参照して説明する。図８の例は、撮影者の手動によるレンズ駆動に応じて自動的に合焦位置を検出して補正データを算出している。この変形例は、撮影者が合焦状態であると判断したタイミングで補正データを決定できる例である。即ち、図１１においては、図８のステップＳ３１の判定が、校正モード釦がＯＮされたか否か（ステップＳ５１）に変更されている。
【００８０】
即ち、撮影者は図１０に示すようにして、ＭＦレンズ４００を駆動しながら、ＬＣＤモニタ２２５ａに表示された画面を確認し、符号７４で示すように最も画面が鮮明になったと判定したタイミングで校正モード釦５０２を押す。メインＣＰＵ２０１は、この校正モード釦５０２のＯＮ状態を判定して、補正データを算出し、この算出された補正データをＥＥＰＲＯＭ２１５に記憶させる。
【００８１】
以上実施の形態に基づいて本発明を説明したが、本発明は前述した実施の形態に限定されるものではなく、本発明の要旨の範囲内で種々の変形や応用が可能なことは勿論である。
【００８２】
さらに、上記した実施の形態には種々の段階の発明が含まれており、開示される複数の構成要件の適当な組合せにより種々の発明が抽出され得る。例えば、実施の形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【００８３】
【発明の効果】
以上詳述したように、本発明によれば、オートフォーカス機能に対応しない撮影レンズが装着された場合であっても、撮影者が手動で正確に撮影レンズの焦点調節を行うことが可能なデジタル一眼レフカメラを提供することができる。
【図面の簡単な説明】
【図１】本発明の一実施形態に係るデジタル一眼レフカメラにオートフォーカス可能な撮影レンズを装着した場合の構成を示すブロック図である。
【図２】信号処理回路のより詳細な構成を示すブロック図である。
【図３】本発明の一実施形態に係るデジタル一眼レフカメラにオートフォーカス不能な撮影レンズを装着した場合の構成を示すブロック図である。
【図４】本発明の一実施形態に係るデジタル一眼レフカメラにおけるメイン制御のフローチャートである。
【図５】マニュアルフォーカスレンズ処理のフローチャートである。
【図６】校正モード釦について説明するためのカメラの外観図である。
【図７】フォーカスエイド表示の表示例を示す図である。
【図８】校正モードのフローチャートである。
【図９】校正モードになったことを示す表示の表示例を示す図である。
【図１０】校正モードにおける調整時の画面表示例を示す図である。
【図１１】校正モードの変形例のフローチャートである。
【符号の説明】１００…ＡＦレンズ、１０１…正レンズ、１０２…絞り機構、１０３…負レンズ、１０４…ズーム・ピント駆動回路、１０５…絞り駆動回路、１０６…レンズ情報記憶回路、２００…カメラ本体、２０１…メインＣＰＵ、２０２，２２１…データバス、２０３…信号線、２０４…可動ミラー、２０５…ミラー駆動回路、２０６…サブミラー、２０７…セパレータ光学系、２０８…ＡＦセンサ、２０９…ＡＦセンサ駆動回路、２１０…焦点板、２１１…ペンタプリズム、２１２…ファインダ接眼光学系、２１３…結像レンズ、２１４…測光素子、２１５…ＥＥＰＲＯＭ、２１６…スイッチ入力部、２１７…シャッタ駆動回路、２１８…シャッタ、２１９…撮像素子、２２０…信号処理回路、２２０ａ…ＣＰＵ、２２２…ＥＰＲＯＭ、２２３…ＳＤＲＡＭ、２２４…フラッシュメモリ、２２５…画像表示回路、２２５ａ…ＬＣＤモニタ、２２５ｂ…バックライト、３００…ストロボ発光ユニット、３０１…ストロボ制御回路、３０２…トリガ回路、３０３…発光管、３０４…反射傘、３０５…発光パネル、４００…ＭＦレンズ、５０２…校正モード釦
【図１】
2005025055.tif 000003
【図２】
2005025055.tif 000004
【図３】
2005025055.tif 000005
【図４】
2005025055.tif 000006
【図５】
2005025055.tif 000007
【図６】
2005025055.tif 000008
【図７】
2005025055.tif 000009
【図８】
2005025055.tif 000010
【図９】
2005025055.tif 000011
【図１０】
2005025055.tif 000012
【図１１】
2005025055.tif 000013